(57)【特許請求の範囲】
【請求項１】
ＦＴＴｘ光回線終端装置のエンドユーザー側動的マルチサービス・ルーティングにおける給電システムであって、
複数のネットワーク信号処理並びに直流給電モジュールと、ネットワーク信号処理並びに直流受電モジュールと、複数のネットワーク信号接収及び電源入力モジュールと、複数のネットワーク信号処理モジュールと、複数の電信線直流受電モジュールと、電源負荷平衡モジュールと、直流電源給電力モジュールと、電源管理モジュールと、システムエネルギー消耗及びユーザー給電量予測モジュールと、を含み、
前記各直流給電モジュールは、家庭ネットワーク開閉器の中に整合され、
前記ネットワーク信号処理並びに直流給電モジュールは、二対の電信線によってＦＴＴｘ光回線終端装置と接続され、
前記電信線の内、一対は、音声及びネットワーク通信に使用され、家庭ネットワーク開閉器に接続された家庭ネットワーク装置が前記ＦＴＴｘ光回線終端装置を経由して電信収集ネットワークに接続し、ネットワークサービスの接収を行い、
前記電信線の内、別の一対は、直流給電として使用され、前記ＦＴＴｘ光回線終端装置に必要な直流電源を提供し、
前記家庭ネットワーク開閉器及び前記家庭ネットワーク装置は、イーサーネットワーク（登録商標）線を経由して接続され、ネットワーク接続及び直流給電を提供し、
前記ネットワーク信号処理並びに直流受電モジュールは、前記ＦＴＴｘ光回線終端装置の中に整合され、前記家庭ネットワーク開閉器のネットワーク信号を処理し、且つ複数の前記家庭ネットワーク開閉器から提供される直流電源入力を接収し、電源供給を取得し、
前記複数のネットワーク信号接収及び電源入力モジュールは、電信線によって家庭ネットワーク開閉器から来たネットワーク信号及び直流電源を処理し、ネットワーク信号をネットワーク処理モジュールへ伝送して処理し、一方、接収した直流電源を電信線直流受電モジュールへ伝送し、
前記複数のネットワーク信号処理モジュールは、家庭ネットワーク開閉器に接続されたネットワーク信号を接収し、
前記複数の電信線直流受電モジュールは、接収した直流電圧をＦＴＴｘ光回線終端装置に必要な直流電圧レベルに変調し、更に電源負荷平衡モジュールへ伝送し、
前記電源負荷平衡モジュールは、各家庭ネットワーク開閉器が提供する直流電源を接収し、平均的に各直流電源の負荷電流として分配し、更に直流電源を直流電源給電モジュールへ出力し、
前記直流電源給電力モジュールは、ＦＴＴｘ光回線終端装置に必要な直流電源を提供し、
前記電源管理モジュールは、直流電源負荷平衡モジュール及び直流電源給電モジュールをリアルタイムに検測して、受電状態の監視及び異常電源の警告通報を提供し、
前記システムエネルギー消耗及びユーザー給電量予測モジュールは、ＦＴＴｘ光回線終端装置のシステムエネルギー消耗及び個別の家庭ネットワーク開閉器の給電量予測を提供することを特徴とする、
ＦＴＴｘ光回線終端装置のエンドユーザー側動的マルチサービス・ルーティングにおける給電システム。
【請求項２】
前記ネットワーク信号処理モジュールは、ネットワーク信号処理及び遠距離家庭ネットワーク開閉器の電源中断情報接収メカニズムを提供し、ユーザー側家庭ネットワーク開閉器が長時間にわたって接続しない場合は、ネットワーク信号処理モジュールが自動休眠メカニズムを起動してエネルギーの消耗を減少することを特徴とする、請求項１に記載のＦＴＴｘ光回線終端装置のエンドユーザー側動的マルチサービス・ルーティングにおける給電システム。
【請求項３】
ユーザー側で給電を非常停止した場合、電源管理モジュールは、ネットワーク信号処理モジュールの提供する遠距離家庭ネットワーク開閉器の電源中断情報と比較対照して、ユーザー電信線中断及び家庭ネットワーク開閉器電源の中断したユーザー側給電異常原因分類を提供することを特徴とする、請求項１に記載のＦＴＴｘ光回線終端装置のエンドユーザー側動的マルチサービス・ルーティングにおける給電システム。
【請求項４】
前記システムのエネルギー消耗及びユーザー給電量予測モジュールは、すべてのネットワーク信号処理モジュールの提供する全体のユーザー側ネットワーク接続時間記録によって、ＦＴＴｘ光回線終端装置のシステムエネルギー消耗を見積もり、ネットワーク信号処理モジュールによって提供される個別給電ユーザーネットワーク接続時間に基づいて、個別家庭ネットワーク開閉器の給電電量を統計計算することを特徴とする、請求項１に記載のＦＴＴｘ光回線終端装置のエンドユーザー側動的マルチサービス・ルーティングにおける給電システム。
【発明の詳細な説明】
【技術分野】
【０００１】
本発明は、ＦＴＴｘ光回線終端装置のエンドユーザー側動的マルチサービス・ルーティングにおける給電システム、特にイーサネットワーク（登録商標）電源の給電技術・マルチサービスルーティング動的給電技術・電源管理技術を整合して、エンドユーザー側家庭ネットワーク電流開閉器からＦＴＴｘ光回線終端装置へ給電する動的マルチサービス・ルーティングにおける給電システムに関し、多くの家庭ネットワーク電流開閉器の直流給電モジュールにより、電信ネットワークを経由してＦＴＴｘ光回線終端装置へ直流電力を提供するものである。
【背景技術】
【０００２】
近年、クラウドサ−ビスの勃興に伴い、各電信業者は、挙ってブロードバンドネットワークの構築及び値下げ戦略に投入し、高速光ファイバーネットサービスのユーザー数の大幅成長を期待している。しかし、エンドユーザー側の既存マルチ回路環境に制限されて、全面的に光ファイバー技術を家庭へ導入して高速インターネットサービスを提供することは、作業スケジュールが把握しにくいことのほかに、光ケーブルの配置コストも高くつく。
若し、ＦＴＴｘ光回線終端装置を元のフォトケミカル接続ボックスの位置からエンドユーザーの約１００メートル以内の銅ケーブル引き込みボックスの位置へ移し、ＶＤＳＬ装備技術を提供することができれば、高速インターネットサービスのユーザー浸透率を速やかに向上させることができる。
しかし、現在の市場では、ＦＴＴｘ光回線終端装置の給電はすべて現地電源の給電インターフェース、たとえば、交流１１０ＶＡＣ／２２０ＶＡＣ、或いは直流−４８ＶＤＣ電源インターフェースを使用している。ＦＴＴｘ光回線終端装置が銅ケーブル引き込みボックスの位置へ移されると、収容されるユーザー数が減少し、小型化・密集化の分散設置へ向かうため、給電点が大幅に増加及び分散し、且つ電力環境施工期間の掌握が困難となり、全体の配置及び保守コストが高くなるといった問題が生じる。
【０００３】
これに対し、機械室にて遠距離給電技術を使用して、電力環境の取得困難及び全体配置の配置・保守コストを引き下げる方法がある。現在、国際標準技術では、３８０ＶＤＣ高直流電圧を使用して、機械室から電信ネットワークを通してＦＴＴｘ光回線終端装置へ電力を供給している。この高電圧の伝送によって給電効率を向上させ、且つ給電距離を増加することができるが、現場作業者にとっては高電圧給電中に、感電する危険性がある。しかも給電距離が長いと、省エネの効果も悪い。このように、現在のＦＴＴｘ光回線終端装置の給電環境を改善することは、当面の急務である。
以上よりわかるように、上述の従来の方式には、なお幾多の欠点があり、改良が待たれていた。
【０００４】
本発明の発明者は、上述した従来の方式に派生する各項の欠点に鑑み、新規改善を試み、長年苦心研鑽の末、ついに本件のエンドユーザー側動的マルチサービス・ルーティングにおける給電システムの研究開発に成功した。
【発明の概要】
【発明が解決しようとする課題】
【０００５】
本発明の主要な目的は、エンドユーザー側において、ＦＴＴｘ光回線終端装置の一つ（を含む）以上の家庭ネットワーク開閉器に接続した直流給電モジュールを利用して、ＦＴＴｘ光回線終端装置の直流受電モジュールへ給電し、ＦＴＴｘ光回線終端装置に必要な電源を提供し、ユーザーのインターネット接続速度を向上させるため、ＦＴＴｘ光回線終端装置のフォトケミカル接続ボックスをユーザー側の銅ケーブル引き込みボックスの位置へ移すことによって光回線終端装置及び家庭ネットワーク開閉器間の距離を短縮する際に、電力の取得が困難で、電力配置及び保守コストが高すぎるといった問題を解決することにある。
【課題を解決するための手段】
【０００６】
上述した目的を達成するため、ＦＴＴｘ光回線終端装置のエンドユーザー側動的マルチサービス・ルーティングにおける給電システムは、イーサネットワーク電源の給電技術・マルチサービス・ルーティング動的給電技術・電源管理技術等を整合して、エンドユーザー側家庭ネットワーク開閉器からＦＴＴｘ光回線終端装置へ給電し、機械室外のＦＴＴｘ光回線終端装置の給電需要を満足させ、且つ機械室外におけるＦＴＴｘ光回線終端装置の給電建設コストを大幅に節約し、光ファイバー化によって大幅にブロードバンドサービスの普及範囲を拡張するものである。その方法は、次のとおりである。
【０００７】
家庭ネットワーク開閉器のネットワーク信号処理並びに直流給電モジュールを利用し、ネットワーク側では電信線をインターフェースとして、遠距離ＦＴＴｘ光回線終端装置へ給電を行い、ユーザー側ではイーサネットワーク線をインターフェースとして給電を行い、家庭ネットワーク設備に直流給電を提供し、且つネットワーク信号及び直流電源出力を同一ネットワークインターフェースへ整合する。
ＦＴＴｘ光回線終端装置のネットワーク信号処理並びに直流受電モジュールによって、多くの家庭ネットワーク開閉器より来るマルチサービス・ルーティング給電入力処理及び動的負荷の平衡を保ち、且つネットワーク信号及び直流電源入力を同一ユーザー側ネットワークインターフェースへ整合する。
一組の線は音声及びネットワーク通信に使用し、別の一組の線は直流電源入力に使用し、それぞれ家庭ネットワーク開閉器とネットワーク接続及び給電接続を行う。
すべてのユーザー側ネットワークの接続時間を統計することによって、ＦＴＴｘ光回線終端装置システムの電力消耗予測を行い、個別給電ユーザーのネットワーク接続時間を統計することによって、家庭ネットワーク開閉器に提供すべき電力需要の予測を行う。
電源管理メカニズムを備え、受電状態の監視及び異常電源警告通報を提供する。
【発明の効果】
【０００８】
本発明に係るＦＴＴｘ光回線終端装置のエンドユーザー側動的マルチサービス・ルーティングにおける給電システムは、従来の技術に比べてつぎのような長所がある。
（１）  本発明は、ＦＴＴｘ光回線終端装置に快速、ダイナミックで、且つ簡易な給電方法を提供できる。
（２）  本発明は、銅線回路の距離を１００メートル以内に短縮し、給電問題を解決し、高速インターネット接続サービスの普及率を速やかに向上させることができる。
（３）  本発明は、ＦＴＴｘ光回線終端装置を受動式ネットワークのような「給電問題を考慮する必要がない」構築メリットを実現し、ＦＴＴｘ光回線終端装置ネットワーク配置の融通性を増加できる。
（４）  本発明は、銅ケーブル引き込みボックスにおいて光ファイバー化を実現し、配置点取得の問題を速やかに解決できる。
（５）  本発明は、現存ユーザーの銅ケーブルによる給電方式を採用し、余分に電力線を敷設する必要がなく、大幅に電力配置のコストを節約できる。
（６）  本発明は、簡易的なシステム及び個別ユーザーの電力消耗予測統計方法を提案し、エネルギー消耗及び受電量統計の設計を大幅に簡易化できる。
（７）  本発明は、家庭ネットワーク開閉器によって整合式電源供給方式を提供して、家庭ネットワーク設備に電源を供給するので、実用性及び省エネ効果が高い。
（８）  本発明は、家庭の便利な電力取得環境を利用してＦＴＴｘ光回線終端装置の電力を提供し、電力提供業者或いは政府のパイプライン敷設作業の影響を受けない。また、大幅に光回線終端装置の電力取得の自主性を向上させることができ、且つ電力来源が安定し、信頼性も高く、保守が容易で、サービス障害の発生率及び保守コストを引き下げ、経済的効果が高い。
【図面の簡単な説明】
【０００９】
【図１】本発明ＦＴＴｘ光回線終端装置のエンドユーザー側動的マルチサービス・ルーティングにおける給電システムの構築図である。
【図２】本発明ＦＴＴｘ光回線終端装置のエンドユーザー側動的マルチサービス・ルーティングにおける給電システムの家庭ネットワーク開閉器のネットワーク信号処理並びに直流給電モジュールのブロック図である。
【図３】本発明ＦＴＴｘ光回線終端装置のエンドユーザー側動的マルチサービス・ルーティングにおける給電システムのＦＴＴｘ光回線終端装置のネットワーク信号処理並びに直流受電モジュールのブロック図である。
【発明を実施するための形態】
【００１０】
以下、図面を参照しながら本発明の実施例について説明する。
【実施例】
【００１１】
図１は、本発明ＦＴＴｘ光回線終端装置のエンドユーザー側動的マルチサービス・ルーティングにおける給電システム構築図であり、複数家庭のネットワーク開閉器１及びＦＴＴｘ光回線終端装置２を含む。
各家庭ネットワーク開閉器１はそれぞれ電信線及びＦＴＴｘ光回線終端装置２を通じて同時にネットワークサービスの接収を進行する、家庭ネットワーク開閉器１に接続された家庭ネットワーク装置３はＦＴＴｘ光回線終端装置２を通じて電信収集ネットワーク４へ接続され、ネットワークサービスの接収を行う。ＦＴＴｘ光回線終端装置２及び家庭ネットワーク開閉器１の電信線は、家庭ネットワーク開閉器１及びＦＴＴｘ光回線終端装置２間のネットワーク信号を伝送するほか、家庭ネットワーク開閉器１のネットワーク信号処理並びに直流給電モジュール１０が提供・カップリングする直流電源をＦＴＴｘ光回線終端装置２へ伝送し、ＦＴＴｘ光回線終端装置２が必要とする直流電源供給を提供する。
【００１２】
ＦＴＴｘ光回線終端装置２は、各家庭ネットワーク開閉器１のルーティングから伝送されるネットワーク信号及び直流給電をそれぞれ接収し、ＦＴＴｘ光回線終端装置２のネットワーク信号処理並びに直流受電モジュール２０を通じて、家庭ネットワーク開閉器１のネットワーク接収を行い、且つ各ルーティングから提供される直流電源を整合してＦＴＴｘ光回線終端装置２の直流電源を供給する。
【００１３】
図２は、本発明のＦＴＴｘ光回線終端装置のエンドユーザー側動的マルチサービス・ルーティングにおける給電システムの家庭ネットワーク開閉器１のネットワーク信号処理並びに直流給電モジュール１０のブロック図であり、一個の直流電源給電モジュール１１と、一個の電信線直流電源モジュール１２と、複数のイーサーネットワーク線直流電源モジュール１３と、一個の網・網インターフェース信号処理モジュール１４と、一個のネットワークインターフェース信号接収及び電源出力モジュール１５と、複数のユーザーインターフェース信号処理モジュール１６、及び複数のユーザー・網インターフェース信号接収及び電源出力モジュール１７と、によって構成される。
【００１４】
このブロック図では、直流電源給電モジュール１１が家庭ネットワーク開閉器１に必要な直流電源を提供し、且つ電信線直流電源モジュール１２及びすべてのイーサーネットワーク線直流電源モジュール１３へ給電する。電信線直流電源モジュール１２によって直流電圧を電信線負荷に必要な直流電圧レベルに変調した後、網・網インターフェース信号接収及び電源出力モジュール１５へ送り、網・網インターフェース信号接収及び電源出力モジュール１５は、直流電源及び網・網インターフェース信号処理モジュール１４が接収したネットワーク信号をネットワークインターフェースの電信線上に合併負荷し、ＦＴＴｘ光回線終端装置２へ伝送する。
イーサーネットワーク線直流電源モジュール１３によって直流電圧をイーサーネットワーク電信線負荷に必要な直流電圧レベルへ変調した後、ユーザー・網インターフェース信号接収及び電源出力モジュール１７へ送り、ユーザー・網インターフェース信号接収及び電源出力モジュール１７はさらに直流電源及びユーザー・網インターフェース信号処理モジュール１６が接収したネットワーク信号をユーザーインターフェースのイーサーネットワーク線上へ合併負荷し、家庭ネットワーク装置３へ伝送し、家庭ネットワーク装置３が必要とする直流電源及びネットワーク信号の接収を行う。遠距離家庭ネットワーク開閉器１に電源中断が生じた場合は、網・網インターフェース信号処理モジュール１４は設備の作動中止前に、直ちに電源中断情報をＦＴＴｘ光回線終端装置２へ伝送する。
【００１５】
図３は、本発明ＦＴＴｘ光回線終端装置のエンドユーザー側動的マルチサービス・ルーティングにおける給電システムのＦＴＴｘ光回線終端装置２のネットワーク信号処理並びに直流受電モジュール２０のブロック図であり、複数のネットワーク信号接収及び電源入力モジュール２１と、複数のネットワーク信号処理モジュール２２と、複数の電信線直流受電モジュール２３と、一個の電源負荷平衡モジュール２４と、一個の直流電源給電モジュール２５と、一個のシステム及びユーザー給電量予測モジュール２６と、及び一個の電源管理モジュール２７によって構成される。
このブロック図では、ネットワーク信号接収及び電源入力モジュール２１は、電信線によって家庭ネットワーク開閉器１のネットワーク信号及び直流電源を接収し、ネットワーク信号をネットワーク信号処理モジュール２２へ伝送して処理する。そして接収された直流電源は、電信線直流受電モジュール２３によって処理される。ネットワーク信号処理モジュール２２はネットワーク信号処理及び遠距離家庭ネットワーク開閉器１の電源中断情報接収メカニズムを処理する。ユーザー側家庭ネットワーク開閉器１が長時間にわたってオンラインされない場合、ネットワーク信号処理モジュール２２は自動的に休眠態勢を起動してエネルギー節約を行う。
【００１６】
電信線直流受電モジュール２３は、接収した直流電圧をＦＴＴｘ光回線終端装置２に必要な直流電圧レベルに変調させた後、更に電源負荷平衡モジュール２４へ伝送する。電源負荷平衡モジュール２４は、各家庭ネットワーク開閉器１から提供された直流電源を、各直流電源の負荷電流として平均的に分配する。次に直流電源を直流電源給電モジュール２５へ出力し、ＦＴＴｘ光回線終端装置２に必要な直流電源を提供する。
システムエネルギー消耗及びユーザー給電量予測モジュール２６は、すべてのネットワーク信号処理モジュール２２によって提供される全体のユーザー側ネットワーク接続時間の記録を統計して、ＦＴＴｘ光回線終端装置２のシステムエネルギー消耗量を見積もる。ネットワーク信号処理モジュール２２によって提供される個別給電ユーザー側のネットワーク接続時間の記録を統計して、個別家庭ネットワーク開閉器１の給電電量を見積もる。
電源管理モジュール２７は、電源負荷平衡モジュール２４及び直流電源給電モジュール２５をリアルタイムに検測することによって、電源状態の監視及び異常電源警告通報を提供し、ユーザー側で給電を非常停止した場合は、ネットワーク信号処理モジュール２２によって提供される遠距離家庭ネットワーク開閉器１の電源中断情報と比較対照し、ユーザー電信線接続中断及び家庭ネットワーク開閉器１の電源中断のユーザー側給電異常原因を分類する。
【符号の説明】
【００１７】
１    家庭ネットワーク開閉器
１０  ネットワーク信号処理並びに直流給電モジュール      
１１  直流電源給電モジュール  
１２  電信線直流電源モジュール  
１３  イーサーネットワーク線直流電源モジュール
１４  網・網インターフェース信号処理モジュール
１５  網・網インターフェース信号接収及び電源出力モジュール  
１６  ユーザー・網インターフェース信号処理モジュール  
１７  ユーザー・網インターフェース信号接収及び電源出力モジュール  
２    ＦＴＴｘ光回線終端装置  
２０  ネットワーク信号処理並びに直流受電モジュール  
２１  ネットワーク信号接収及び電源入力モジュール  
２２  ネットワーク信号処理モジュール  
２３  電信線直流受電モジュール  
２４  電源負荷平衡モジュール  
２５  直流電源給電モジュール  
２６  システムエネルギー消耗及びユーザー給電量予測モジュール  
２７  電源管理モジュール  
３    家庭ネットワーク装置
４    電信収集ネットワーク
【図１】
0005602886.tif 000002
【図２】
0005602886.tif 000003
【図３】
0005602886.tif 000004